(57)【要約】【課題】既存の構成を活かし、配線作業に要する手間と時間を省く。【解決手段】扉７の扉面又は扉回りの所定部位に設置される記憶媒体３には、扉７に設置される電気錠２と１対１で対応付けされた識別情報が記憶されている。携帯通信端末４は、電気錠２の解錠又は施錠時に、電気錠２と対応する記憶媒体３との間で近距離非接触通信により記憶媒体３から識別情報を取得する。出入管理手段６は、携帯通信端末４が取得した識別情報を受けて正常認証すると、その識別情報と対応する電気錠を解錠又は施錠するための制御指令を出力する。電気錠制御手段５は、出入管理手段６から制御指令を受けると、制御指令の識別情報に対応する電気錠２を解錠又は施錠する。【選択図】図１
2014139385.tif 000002
【特許請求の範囲】
【請求項１】
出入管理対象となる扉毎に電気錠が設置され、該電気錠が解錠又は施錠されたときの履歴情報により出入を管理する出入管理システムにおいて、
前記扉の扉面又は扉回りの所定部位に設置され、前記扉の電気錠と１対１で対応付けされた識別情報を記憶した記憶媒体と、
前記電気錠を解錠又は施錠するときに、該電気錠と対応する前記記憶媒体との間で近距離非接触通信により該記憶媒体から識別情報を取得する携帯通信端末と、
前記携帯通信端末が取得した識別情報を受けて正当性を判別し、該識別情報を正常認証したときに、該識別情報と対応する電気錠を解錠又は施錠するための制御指令を出力する出入管理手段と、
前記出入管理手段から制御指令を受けたときに、該制御指令の識別情報に対応する電気錠を解錠又は施錠する電気錠制御手段とを備えたことを特徴とする出入管理システム。
【請求項２】
前記記憶媒体がバッテリーレス非接触タイプのＩＣカード又はＩＣタグからなることを特徴とする請求項１記載の出入管理システム。
【発明の詳細な説明】
【技術分野】
【０００１】
本発明は、例えばオフィスビル、集合住宅、各種施設などの建物の出入口における出入を管理する出入管理システムに関するものである。
【背景技術】
【０００２】
従来、例えばオフィスビル、集合住宅、各種施設などの建物に採用される電気錠システムとして、扉に電気錠を設置するとともに、ビル管理室に電気錠操作盤を設置し、電気錠と電気錠操作盤との間を配線接続したものが知られている。この種の電気錠システムは、ビル管理者によって操作される電気錠操作盤からの解錠信号又は施錠信号により電気錠の解錠・施錠を制御している。この電気錠システムでは、制御対象となる各扉の電気錠の解錠・施錠がビル管理者の操作に基づく電気錠操作盤の制御によって時間管理されているので、電気錠が解錠している時間内であれば誰でも自由に扉を開閉して出入できてしまい、セキュリティ性に問題があった。
【０００３】
このため、近年、上述した電気錠システムを採用したオフィスビル、集合住宅、各種施設などの建物では、セキュリティの向上を図るとともに出入口の出入を管理するべく、上述した電気錠システムから出入管理システムに変更する要求が高まっている。
【０００４】
出入管理システムは、電気錠を解錠又は施錠するために必要な識別情報（個人コードや現場コードなどの固有のＩＤ）を予めＩＣカードに記憶した記憶媒体を用い、扉回りにリーダを設置し、ビル管理室に出入管理装置を設置し、電気錠及びリーダと出入管理装置との間を配線接続して構成される。この出入管理システムでは、施解錠時にリーダによって記憶媒体から情報を読み取って出入管理装置に伝送し、出入管理装置が読み取った情報の正当性を登録情報との照合により判別し、出入管理装置が記憶媒体からリーダが取得した情報を正常認証したときのみ電気錠を解錠又は施錠して出入を管理している。尚、この種の記憶媒体を用いた出入管理システムとしては、例えば下記特許文献１や特許文献２などが知られている。
【先行技術文献】
【特許文献】
【０００５】
【特許文献１】特開２００６−２９９６３９号公報
【特許文献２】特開２０１１−１７９２５９号公報
【発明の概要】
【発明が解決しようとする課題】
【０００６】
しかしながら、上述した電気錠システムが既設された建物で出入管理を行う場合、電気錠システムを出入管理システムに変更するにあたって、電気錠操作盤を撤去廃棄して出入管理装置に交換しなければならず、機器費の負担が大きかった。また、扉回りを加工してリーダを設置する必要があり、材質やデザインによっては困難な状況もあった。しかも、扉回りのリーダと出入管理装置との間は、配管を通じて配線を新たに引かなければならず、配線作業に手間と時間を要するという問題があった。また、配管が無い場合には、新規に配管を敷設することにもなり、配線作業が大変困難であった。
【０００７】
そこで、本発明は上記問題点に鑑みてなされたものであり、既存の構成を活かし、配線作業に要する手間と時間を省くことができる出入管理システムを提供することを目的とするものである。
【課題を解決するための手段】
【０００８】
上記した目的を達成するために、請求項１に記載された出入管理システムは、出入管理対象となる扉毎に電気錠が設置され、該電気錠が解錠又は施錠されたときの履歴情報により出入を管理する出入管理システムにおいて、
前記扉の扉面又は扉回りの所定部位に設置され、前記扉の電気錠と１対１で対応付けされた識別情報を記憶した記憶媒体と、
前記電気錠を解錠又は施錠するときに、該電気錠と対応する前記記憶媒体との間で近距離非接触通信により該記憶媒体から識別情報を取得する携帯通信端末と、
前記携帯通信端末が取得した識別情報を受けて正当性を判別し、該識別情報を正常認証したときに、該識別情報と対応する電気錠を解錠又は施錠するための制御指令を出力する出入管理手段と、
前記出入管理手段から制御指令を受けたときに、該制御指令の識別情報に対応する電気錠を解錠又は施錠する電気錠制御手段とを備えたことを特徴とする。
【０００９】
請求項２に記載された出入管理システムは、請求項１の出入管理システムにおいて、
前記記憶媒体がバッテリーレス非接触タイプのＩＣカード又はＩＣタグからなることを特徴とする。
【発明の効果】
【００１０】
本発明によれば、従来のようなリーダと電気錠操作盤との間の配線作業が不要となり、配線作業に要する手間と時間を大幅に削減でき、既存の構成を活かして出入管理システムを構築することができる。
【００１１】
記憶媒体をＩＣカードやＩＣタグで構成すれば、今までのようなリーダが取り付けられない場所（例えばカーテン、ブラインド、水槽の中など）にも設置することができる。しかも、記憶媒体としてのＩＣカードやＩＣタグを設置場所に貼ったり、剥がしたりするだけで簡単にシステムを構築することができる。
【図面の簡単な説明】
【００１２】
【図１】本発明に係る出入管理システムの概略構成を示すブロック図である。
【発明を実施するための形態】
【００１３】
以下、本発明を実施するための形態について、添付した図面を参照しながら詳細に説明する。なお、この実施の形態によりこの発明が限定されるものではなく、この形態に基づいて当業者などによりなされる実施可能な他の形態、実施例及び運用技術などはすべて本発明の範疇に含まれる。
【００１４】
本発明に係る出入管理システム１は、例えばオフィスビル、集合住宅、各種施設などの建物の出入口における出入を管理するものであり、図１に示すように、電気錠２、記憶媒体３、携帯通信端末４、電気錠制御手段５、出入管理手段６によって構築される。
【００１５】
尚、本例では、電気錠２と電気錠制御手段５とが建物に既設された電気錠システムを構成している。以下、本発明に係る出入管理システム１をオフィスビルの出入口に採用した場合を例にとって説明する。
【００１６】
電気錠２は、配線接続される電気錠制御手段５から入力される解錠信号又は施錠信号により、モーターやソレノイドなどの駆動手段への通電が制御され、駆動手段に連結されるデッドボルトを扉枠の係合穴に進退させることで施錠又は解錠される従来より周知の構成であり、オフィスビルにおける出入口の出入管理対象となる扉７毎に適宜設置される。尚、出入管理対象の扉７は何箇所でも良く、特に制限はないものである。
【００１７】
記憶媒体３は、例えばバッテリーレス非接触タイプのＩＣカードやＩＣタグからなり、扉面（エスカチオンを含む内面、外面）、扉回りの所定部位（例えば、壁面、ブラインド、カーテンなど）に設置される。尚、出入管理対象となる扉７同士が隣接する場合は、各扉７の扉面（エスカチオンを含む内面、外面）に記憶媒体３を設置するのが好ましい。
【００１８】
記憶媒体３には、扉７に設置される電気錠２を特定する識別情報としてのＩＤが記憶されている。このＩＤは、出入管理対象となる各扉７毎の電気錠２と１対１で対応付けされ、記憶媒体３毎に異なる情報として与えられ、例えば電気錠２毎に付与される固有の識別番号、扉７の設置場所を特定する情報などからなる。
【００１９】
携帯通信端末４は、オフィスビルを出入りするユーザが所持する端末であり、例えば携帯電話、スマートフォンなどで構成される。携帯通信端末４は、記憶媒体３との間の近距離無線通信（ＮＦＣ：Near Field Communication）により、記憶媒体３からＩＤを読み取って取得するリーダとして機能する。また、携帯通信端末４は、出入管理手段６との間で無線通信を行い、記憶媒体３から読み取って取得したＩＤを出入管理手段６に送信している。尚、この際、携帯通信端末４は、自身を特定する端末ＩＤを同時に送信することもできる。
【００２０】
電気錠制御手段５は、出入管理システム１が採用される建物の管理室などに既設された電気錠操作盤で構成される。電気錠制御手段５は、電気錠２との間が配線接続されており、出入管理手段６との間で無線通信可能となっている。電気錠制御手段５は、出入管理手段６から制御指令を受信したときに、現在の扉７の開閉状態と制御対象の電気錠２の施解錠状態に応じて制御対象の電気錠２を施錠から解錠へ、又は解錠から施錠へ制御を行うべく、制御対象の電気錠２に解錠信号又は施錠信号を出力している。
【００２１】
出入管理手段６は、携帯通信端末４、電気錠制御手段５それぞれとの間で無線通信が可能なコンピュータネットワーク（クラウド）で構成される。出入管理手段６は、出入管理対象となる各扉７に設置される電気錠２とＩＤとが１対１に対応付けされた認証用情報を予め記憶している。出入管理手段６は、携帯通信端末４との間の無線通信により、携帯通信端末４からＩＤを受信すると、このＩＤと認証用情報のＩＤとを照合し、両者が一致して携帯通信端末４から受信したＩＤを正常認証したときに、そのＩＤに対応する電気錠２を解錠又は施錠するための制御指令を電気錠制御手段５に送信している。
【００２２】
また、出入管理手段６は、各扉７毎の出入を管理するべく、携帯通信端末４、電気錠制御手段５それぞれとの間の無線通信により、携帯通信端末４の端末ＩＤ、携帯通信端末４からのＩＤの取得時刻、電気錠２の解錠時刻又は施錠時刻などの履歴情報を逐次記憶している。
【００２３】
尚、出入管理手段６は、携帯通信端末４内のアプリケーションに対し、ＩＤの読取操作が可能な記憶媒体３を特定する情報を事前に書き込んでいる。また、出入管理手段６は、携帯通信端末４、電気錠制御手段５それぞれとの間でモバイルルータ経由により通信接続可能なローカルコンピュータで構成することもできる。
【００２４】
次に、上記のように構成される出入管理システム１により携帯通信端末４を所持するユーザが電気錠２を解錠する場合の動作について説明する。
【００２５】
携帯通信端末４を所持するユーザは、出入しようとする扉７の扉面又は扉回りの所定部位に設置された記憶媒体３に対し、自身が所持する携帯通信端末４をかざす。これにより、携帯通信端末４は、記憶媒体３との間で近距離無線通信を行い、記憶媒体３からＩＤを読み取って取得する。
【００２６】
そして、携帯通信端末４は、記憶媒体３からＩＤを取得すると、出入管理手段６との間で無線通信を行い、記憶媒体３から取得したＩＤを出入管理手段６に送信する。この際、携帯通信端末４は、自身を特定する端末ＩＤを送信することもできる。
【００２７】
続いて、出入管理手段６は、携帯通信端末４からのＩＤを受信すると、このＩＤと認証用情報とを照合する。そして、出入管理手段６は、携帯通信端末４から受信したＩＤと認証用情報のＩＤとが一致して正常認証すると、そのＩＤに対応する制御対象の電気錠２を解錠又は施錠するための制御指令を電気錠制御手段５に送信する。
【００２８】
電気錠制御手段５は、出入管理手段６から制御指令を受信すると、現在の扉７の開閉状態が閉状態であり、かつ制御対象の電気錠２の施解錠状態が施錠状態であれば、制御対象の電気錠２に解錠信号を出力して電気錠２を解錠する。これにより、ユーザは、解錠された電気錠２が設置された扉７を開閉して出入りすることができる。
【００２９】
尚、出入管理システム１により電気錠２を施錠する場合にも上述した電気錠２の解錠時と同様の処理が行われる。すなわち、ユーザは、制御対象となる電気錠２が設置されている扉７の扉面又は扉回りの所定部位に設置される記憶媒体３に携帯通信端末４をかざし、携帯通信端末４から記憶媒体３のＩＤを読み取って取得する。そして、携帯通信端末４から無線通信により出入管理手段６にＩＤを送信し、出入管理手段６においてＩＤの認証を行い、ＩＤを正常認証すると、出入管理手段６から無線通信により電気錠制御手段５に制御指令を送信する。そして、電気錠制御手段５は、出入管理手段６から制御指令を受信すると、現在の扉７の開閉状態が開状態であり、かつ制御対象の電気錠２の施解錠状態が解錠状態であれば、制御対象の電気錠２に施錠信号を出力して電気錠５を施錠する。
【００３０】
このように、本例の出入管理システム１は、電気錠システムを構築する既設の電気錠２と電気錠制御手段５に加え、記憶手段３、携帯通信端末４、出入管理手段６を備えて構成される。そして、本例の出入管理システム１では、扉７に設置される電気錠２と対応付けしたＩＤを記憶媒体３に記憶させておき、通信携帯端末４をリーダとして用いることにより記憶媒体３のＩＤを読み取る。この読み取られたＩＤは、通信携帯端末４の通信機能により出入管理手段６へと送信される。そして、出入管理手段６は、通信携帯端末４からＩＤを受信すると、受信したＩＤの正当性を判別して正常認証すると、電気錠２を施錠又は解錠する。
【００３１】
したがって、本例の出入管理システム１によれば、一般的な出入管理用のリーダとＩＣカードの使い方を真逆にした構成なので、リーダの配管・配線などが不要となり、既設の電気錠システムをそのまま活かして出入管理システム１を構築することができる。
【００３２】
すなわち、予めＩＤが記憶された記憶媒体３を扉７の扉面や扉回りの所定部位に設置する構成なので、従来のような扉回りにリーダを設置する必要がない。これにより、従来のようなリーダと電気錠操作盤との間の配線作業も不要となり、配線作業に要する手間と時間を大幅に削減して出入管理システム１を構築することができる。
【００３３】
また、記憶媒体３としてのＩＣカードやＩＣタグは、配線が不要なので、設置箇所の自由度が増す。具体的に、ＩＣカードやＩＣタグを扉回りの部位にも設置することができるので、今までのようなリーダが取り付けられない場所、例えばカーテン、ブラインド、水槽の中などにも設置することができる。しかも、ＩＣカードやＩＣタグを設置場所に貼ったり、剥がしたりするだけで簡単にシステムを構築することができる。
【００３４】
ところで、上述した実施の形態では、出入管理システム１をオフィスビルに採用した場合を例にとって説明したが、電気錠を用いた出入口における出入の管理が必要な様々な各種建物に採用することができる。
【符号の説明】
【００３５】
１  出入管理システム
２  電気錠
３  記憶媒体
４  携帯通信端末
５  電気錠制御手段
６  出入管理手段
７  扉
【図１】
2014139385.tif 000003